(57)【要約】【課題】  アンテナが突出することのない折り畳み式の携帯電話機を提供する。【解決手段】  操作ボタンが配列される第１の筐体部と、液晶表示画面が設けられた第２の筐体部とを有し、これら筐体部が接続部分で折り畳み自在とされてなる携帯電話において、第２の筐体部は、第１の筐体部よりも長さが小となるように形成された欠落部を有し、第１の筐体部は、欠落部と対応する位置に突出される突出部を有し、第１の筐体部と第２の筐体部を折り畳んだ時に、欠落部と突出部とが一致して、第２の筐体部の長さと第１の筐体部の長さとが見かけ上略同一となる。これにより、アンテナ部は、折り畳んだ時に筐体から突出されない。【選択図】  図１ 
2005323136.tif 000002
【特許請求の範囲】
【請求項１】
操作ボタンが配列される第１の筐体部と、
液晶表示画面が設けられた第２の筐体部とを有し、
これら筐体部が接続部分で折り畳み自在とされてなる携帯端末機において、
前記第２の筐体部は、前記第１の筐体部よりも長さが小となるように形成された欠落部を有し、
前記第１の筐体部は、前記欠落部と対応する位置に突出される突出部を有し、
前記第１の筐体部と前記第２の筐体部を折り畳んだ時に、前記欠落部と前記突出部とが一致して、前記第２の筐体部の長さと第１の筐体部の長さとが見かけ上略同一となることを特徴とする携帯端末機。
【請求項２】
操作ボタンが配列される第１の筐体部と、
液晶表示画面が設けられた第２の筐体部とを有し、
これら筐体部が接続部分で折り畳み自在とされてなる携帯端末機において、
前記第２の筐体部は、前記第１の筐体部よりも長さが小となるように形成された欠落部を有し、
前記第１の筐体部は、前記欠落部と対応する位置に突出される突出部とを有し、
前記第１の筐体部と前記第２の筐体部を折り畳んだ時に、前記欠落部と前記突出部とが一致して、前記第２の筐体部の上面部と前記突出部の上面部とが略面一となることを特徴とする携帯端末機。
【請求項３】
操作ボタンが配列される第１の筐体部と、
液晶表示画面が設けられた第２の筐体部とを有し、
これら筐体部が接続部分で折り畳み自在とされてなる携帯端末機において、
前記第２の筐体部は、前記第１の筐体部よりも長さが小となるように形成された欠落部を有し、
前記第１の筐体部は、前記欠落部と対応する位置に突出される突出部を有し、
前記第１の筐体部と前記第２の筐体部を折り畳んだ時に、前記欠落部と前記突出部とが一致して、前記第２の筐体部の長さと第１の筐体部の長さとが見かけ上略同一とになるとともに前記第２の筐体部の上面部と前記突出部の上面部と略面一となることを特徴とする携帯端末機。
【請求項４】
前記第２の筐体部は、一端側に突出形成されたアンテナ部を有し、
前記第１の筐体部は、前記アンテナ部と対応する位置に凹部を有し、
前記第１の筐体部と第２の筐体部を折り畳んだ時に、前記アンテナ部が前記凹部に収容されることを特徴とする請求項１乃至３のいずれか一項に記載の携帯端末機。
【請求項５】
前記第２の筐体部は、前記アンテナ部の長さを含む全体の長さが前記第１の筐体部と略同一とされており、前記第１の筐体部と前記第２の筐体部を折り畳んだ時に、前記第１の筐体の形状と前記第２の筐体の形状が見かけ上略同一となることを特徴とする請求項４に記載の携帯端末機。
【発明の詳細な説明】
【技術分野】
【０００１】
本発明は、携帯端末機に係り、特に折り畳み式の携帯電話機のアンテナ部が外部に突出することのない携帯電話機に関する。
【背景技術】
【０００２】
携帯電話の普及は目覚ましいものがあり、より一層の機能の追加や多様なデザインの機種の開発等が日常的に行われている。それに伴い、携帯電話機の形態も、様々に変化しており、現在では、液晶大画面を搭載すること、プッシュボタンの誤操作を防止すること等を目的に、折り畳み式の携帯電話機が開発され、主流になりつつある。
【０００３】
この折り畳み式の携帯電話機は、ナンバーキーや各種入力キー等の操作ボタンが配列された第１の筐体と、液晶大画面が設けられた第２の筐体とから構成され、これらが接続部を介して折り畳み可能とされている。折り畳み状態では、操作ボタンが配列された第１の筐体上を第２の筐体で覆う形になり、操作ボタンの誤作動が防止される。また、全体形状を拡張した場合にも、折り畳み状態ではコンパクトに持ち運ぶことが可能であり、大画面化等の点でも有利である。
【発明の開示】
【発明が解決しようとする課題】
【０００４】
ところで、携帯電話機の場合、無線による送受信が基本であるので、送受信用のアンテナを設けなければならない。この送受信用のアンテナは、通常、伸縮自在のロッドアンテナが採用されており、その先端部が携帯電話機から突出する形になっている。折り畳み式の携帯電話機も例外ではなく、例えば図３（ａ）に示すように前記第１の筐体１０１の接続部側、あるいは図３（ｂ）に示すように第２の筐体１０２の先端側のいずれにアンテナ１０３を設けた場合にも、折り畳み状態でアンテナ１０３の先端が筐体１０１，１０２から突出する形で存在する。
【０００５】
近年、このアンテナの突出を防ぐことを目的に、内蔵タイプのアンテナも提案され、実用化されている。この内蔵タイプのアンテナでは、アンテナを引き伸して使用する必要はなく、筐体内に内蔵され、突出することはない。しかしながら、前記のようにアンテナを内蔵する場合には、高感度なアンテナを用いる必要があり、製造コストの点で不利である。
【０００６】
本発明は、このような従来の実情に鑑みて提案されたものである。すなわち、本発明は、アンテナが突出することのない折り畳み式の携帯電話機を提供することを目的とする。また、本発明は、高感度なアンテナを用いなくとも折り畳み状態でアンテナが突出することのない新規構造の携帯電話機を提供することを目的とする。
【特許文献１】特開２００４−３２５９６号
【課題を解決するための手段】
【０００７】
上述の目的を達成するために、本発明に係る携帯電話機は、操作ボタンが配列される第１の筐体部と、液晶表示画面が設けられた第２の筐体部とを有し、これら筐体部が接続部分で折り畳み自在とされてなる携帯端末機において、第２の筐体部は、第１の筐体部よりも長さが小となるように形成された欠落部を有し、第１の筐体部は、欠落部と対応する位置に突出される突出部を有し、第１の筐体部と第２の筐体部を折り畳んだ時に、欠落部と突出部とが一致して、第２の筐体部の長さと第１の筐体部の長さとが見かけ上略同一となることを特徴とする。
【０００８】
また、本発明に係る他の携帯電話機は、操作ボタンが配列される第１の筐体部と、
液晶表示画面が設けられた第２の筐体部とを有し、これら筐体部が接続部分で折り畳み自在とされてなる携帯端末機において、第２の筐体部は、第１の筐体部よりも長さが小となるように形成された欠落部を有し、第１の筐体部は、欠落部と対応する位置に突出される突出部とを有し、第１の筐体部と第２の筐体部を折り畳んだ時に、欠落部と突出部とが一致して、第２の筐体部の上面部と突出部の上面部とが略面一となることを特徴とする。
【０００９】
また、より好ましくは、第２の筐体部は、一端側に突出形成されたアンテナ部を有し、前記第１の筐体部は、前記アンテナ部と対応する位置に凹部を有し、第１の筐体部と第２の筐体部を折り畳んだ時に、アンテナ部が凹部に収容されることを特徴とする。
【００１０】
さらに、より好ましくは、前記第２の筐体部は、前記アンテナ部の長さを含む全体の長さが前記第１の筐体部と略同一とされており、前記第１の筐体部と前記第２の筐体部を折り畳んだ時に、前記第１の筐体の形状と前記第２の筐体の形状が見かけ上略同一となることを特徴とする。
【００１１】
本発明の携帯電話機では、折り畳んだ状態では、第２の筐体における第１の筐体よりも小さい部分に対応して第１の筐体に突出部が膨出形成されている。このとき、前記突出部は、アンテナ部に対応する部分には形成されておらず、第２の筐体から突出するアンテナ部は、いわば第１の筐体の凹部に収容された形になる。その結果、折り畳んだ状態では、第２の筐体、アンテナ部、前記突出部が一体化し、全体形状が第１の筐体と略々同じ形状になり、何ら突出部の無い状態となる。
【発明の効果】
【００１２】
本発明の携帯端末機によれば、アンテナが突出することのない折り畳み式の携帯電話機を提供することが可能であり、携帯電話機の外観デザインも非常に良いものとなる。また、本発明では、アンテナ内蔵タイプの電話機と異なり、基本的には先端が突出する汎用タイプのアンテナを使用するので、高感度アンテナは不要であり、製造コストの点でも有利である。
【発明を実施するための最良の形態】
【００１３】
以下、本発明を適用した携帯電話機について、図面を参照して詳細に説明する。
【００１４】
本実施形態の携帯電話機１は、図１（ａ），（ｂ）に示すように、いわゆる折り畳み式の携帯電話機である。すなわち、この携帯電話機１は、ナンバーキー２や各種操作キー３等の操作ボタンが配列された第１の筐体４と、液晶表示画面５が設けられた第２の筐体６とから構成される。
【００１５】
これら第１の筐体４と第２の筐体６とは、回動自在なヒンジ部７を介して結合されており、使用者は、携帯電話機１使用時には、これら筐体４，６を広げてキー操作及び表示の確認を行い、電話機として使用し、あるいはメールの送受信等を行う。一方、携帯電話機１の不使用時には、これら筐体４，６を折り畳み、２つ折り状態でコンパクトに持ち運ぶことができる。
【００１６】
このような構成の携帯電話機１の場合、アンテナの装着が必須であり、本実施形態の携帯電話機１においても、第２の筐体６側にアンテナ部８が突出する形で設けられている。なお、本例では、アンテナ部８は固定式のアンテナとされ、伸縮使用するタイプのものではないが、勿論、これに限らず、伸縮するタイプのアンテナであってもよい。この場合にも、アンテナの先端部分は、第２の筐体６から突出する形で取り付けられる。
【００１７】
通常、この第２の筐体６から突出するアンテナ部８は、折り畳んだ状態でも携帯電話機１から突出した状態となるが、本実施形態の携帯電話機１では、第１の筐体４に設けられた突出部９により、アンテナ部８が外部に突出しない状態で収容される。以下、この構造について説明する。
【００１８】
図１（ａ），（ｂ）にも示すように、先ず、本実施形態の携帯電話機１では、第１の筐体４の長さ寸法よりも、第２の筐体６の長さ寸法が小さくなるように欠落部１０が設けられている。そして、第２の筐体６においては、欠落部１０と隣接してアンテナ部８が突出形成されており、アンテナ部８を含めた全体の長さが、第１の筐体４の長さとほぼ等しくなるように設定されている。したがって、第２の筐体６の形状は、第１の筐体４の形状に比べて、その一部が欠落した状態である。
【００１９】
一方、第１の筐体４の折り畳み時に第２の筐体６が重ね合わされる面には、この第２の筐体６の欠落部１０と対応する位置に突出部９が形成されている。この突出部９の上面部１２は、折り畳んだ時に第２の筐体６の上面部１１と同一面を形成する如く、その形状、高さが設定されている。この突出部９は、前記アンテナ部８と対応する位置を一部削り落とされた形になっており、この部分が凹部９ａとして機能してアンテナ部８を収容する。また、突出部９及び凹部９ａの長さＴは、アンテナ部８及び欠落部１０の長さＨとほぼ同じ長さとなるように設定されている。
【００２０】
以上のような構成の携帯電話機１においては、第１の筐体４と第２の筐体６とを広げて使用する。この時、アンテナ部８は、第２の筐体６から突出した形になり、十分な感度が確保される、また、アンテナ内蔵タイプの携帯電話機と異なり、高感度アンテナでなくとも十分な感度が得られる。
【００２１】
一方、第２の筐体６を折り畳んだ時には、図２（ａ），（ｂ）に示すように、第２の筐体６の欠落部１０と突出部９が一致することにより、第２の筐体６は突出部９の長さを含んで第１の筐体４の長さとほぼ等しくなる。また、突出部９の上面部１２は、折り畳んだ時に第２の筐体６の上面部１１と同一面を形成する。さらに、アンテナ部８が突出部９ａに隣接する凹部９ａに突出することなく収容される。これにより第２の筐体６、アンテナ部８、第１の筐体４に設けられた突出部９が一体化して、１つの筐体のような形態となり、第２の筐体６の形状と第１の筐体４の形状が見かけ上ほぼ等しい形状となる。
【図面の簡単な説明】
【００２２】
【図１】携帯電話機を広げた状態を示す図であり、（ａ）は平面図、（ｂ）は側面図である。
【図２】携帯電話機を折り畳んだ状態を示す図であり、（ａ）は平面図、（ｂ）は側面図である。
【図３】従来の携帯電話機を模式的に示す図であり、（ａ）は第１の筐体にアンテナ部を設けた携帯電話機の平面図、（ｂ）は第２の筐体にアンテナ部を設けた携帯電話機の平面図である。
【符号の説明】
【００２３】
１  携帯電話機
２  ナンバーキー
３  操作キー
４  第１の筐体
５  液晶表示画面
６  第２の筐体
７  ヒンジ部
８  アンテナ部
９  突出部
１０  欠落部
１１、１２  上面部
【図１】
2005323136.tif 000003
【図２】
2005323136.tif 000004
【図３】
2005323136.tif 000005